(57)【要約】  【課題】  不正解錠をより確実に防止することができるサムターンを提供する。  【解決手段】  本発明のサムターンユニット２は、固定部材と、固定部材と相対回転が可能である回転部材１１０とを有し、回転部材１１０の回転制御機構１２３には、ボタン４４とロックアーム１４３が設けられている。ロックアーム１４３は揺動可能であって、回転阻止部１５１が設けられている。そして、回転阻止部１５１が固定部材のスリットに入ることにより、回転部材１１０固定部材との間の回転阻止が行われ、ロックアーム１４３が揺動することにより回転阻止の解除が行われる。  ボタン４４を押すとロックアーム１４３が揺動して回転部材１１０の回転が可能な状態となり、また、鍵などを用いてスピンドル１２５を回転させても、ロックアーム１４３が揺動して回転が可能となる。【選択図】  図２１
2006194068.tif 000002
【特許請求の範囲】
【請求項１】
扉に取り付けられる固定部材と、前記固定部材と相対回転が可能であって外部に露出した回転部材とを有し、回転部材を回転させて施錠・解錠を行うことができ、また、所定の鍵を用いても施錠・解錠を行うことができるサムターンユニットにおいて、
前記回転部材には回転制御機構を有し、前記回転制御機構には、揺動可能なロックアームと、外部に露出し、押動操作によってロックアームを揺動させることができるボタンと、所定の鍵を用いることにより回転を行うことが可能なスピンドルとが設けられ、前記ロックアームには、回転部材と固定部材との間の相対回転を阻止する回転阻止部が設けられており、
ボタンの押動操作、及び、スピンドルの回転操作のいずれかが行われた場合には、ロックアームが揺動し、前記相対回転の阻止を解除することができることを特徴とするサムターンユニット。
【請求項２】
ロックアームの回転阻止部は突起状であり、回転阻止部が固定部材のスリットに挿入して回転阻止が行われ、回転阻止部が内側に移動することによりスリットから脱出して回転阻止が解除されるものであることを特徴とする請求項１に記載のサムターンユニット。
【請求項３】
回転部材には軸部が設けられ、前記軸部は軸方向に貫通している内部空間が設けられた部材であり、ロックアームは前記内部空間に配置されて、軸部に対して揺動可能となっていることを特徴とする請求項１又は２に記載のサムターンユニット。
【請求項４】
ロックアームは２個設けられて、各ロックアームの揺動方向は、スピンドルの回転軸に対して近接・離反する方向であり、スピンドルはロックアーム同士の間に配置しており、スピンドルの回転によって、ロックアーム同士が離れるように揺動させるものであることを特徴とする請求項１〜３のいずれかに記載のサムターンユニット。
【請求項５】
スピンドルには凸部を有しており、前記凸部をロックアームの端部同士の間に配置して、スピンドルの相対回転によりロックアームの端部の間を押し広げ、ロックアームを揺動させることを特徴とする請求項４に記載のサムターンユニット。
【請求項６】
スピンドルの凸部はマイナス型であることを特徴とする請求項５に記載のサムターンユニット。
【発明の詳細な説明】
【技術分野】
【０００１】
本発明は、錠前などに用いられるサムターンユニットに関するものであり、特に、いわゆるサムターン回しと呼ばれる不正解錠の防止が可能なものに関するものである。
【背景技術】
【０００２】
従来より、扉などに取り付けられ、ロックボルトを出入りさせて施錠あるいは開錠を行う錠前が用いられている。このロックボルトの出入りは、摘み部材（サムターン）やシリンダー錠を回動させて行われる。通常、屋内側にはサムターンが設けられ、屋外側にはシリンダー錠が設けられ、屋外からの施解錠は鍵を用いて行われる。
【０００３】
扉が固定されている扉枠には、扉の側面から突出したロックボルトを収納可能な収納部が設けられている。そして、ロックボルトを収納部に出入りさせることにより施解錠が行われる。ロックボルトが収納部に入っている場合には施錠状態となり、収納部から出ている場合には開錠状態となる。
【０００４】
近年ドリル等で扉に穴を空けたり、扉と扉の取り付け枠との隙間から工具等を差し込み、摘み部材を回して不正開錠する、いわゆるサムターン回しという手口で家屋に侵入する犯罪が横行しており、社会的問題となっている。かかる問題を解決すべく、例えば下記特許文献１に示すように扉の摘み部材を囲む位置にサムターンカバーを設けることにより、いわゆるサムターン回しによる不正開錠を防止する方策が提案されている。
【０００５】
また、上記したサムターン回しによる不正開錠を防止すべく、下記特許文献２に示すような摘み部材を具備した錠前がある。特許文献２に開示されている摘み部材は、摘み部分が着脱可能であり、摘み部分を抜いておくことで不正開錠を防止するものである。
【特許文献１】特開２００３−０５６２１８号公報
【特許文献２】特開平１１−２００６７８号公報
【発明の開示】
【発明が解決しようとする課題】
【０００６】
上記した特許文献１に開示されているように、摘み部材の周囲にサムターンカバーを設ければ、扉に穴を空けたりして工具等を差し込んでも、その工具が摘み部材に到達し難い。そのため、摘み部材を特許文献１に開示されているようなサムターンカバーで保護すれば、扉の不正開錠を防止することができる。
【０００７】
しかし、上記したようにサムターンカバーを設ける場合、摘み部材の回動操作を行う度にサムターンカバーの蓋体を開ける必要がある。また、サムターンカバーで摘み部材を囲む場合、サムターンカバーで囲まれた領域内に指を入れて摘み部材の操作を行わねばならず、サムターンの操作が少なからず不自由になってしまう。さらに、サムターンカバーを設ける場合は、蓋体を閉じ忘れてしまうとサムターン回しに対する防犯効果が半減してしまうという問題点を有する。また、上記特許文献２のように摘み部材の摘み部分が着脱可能な構成とした場合も、摘み部分を抜き忘れてしまうとサムターン回しによる不正開錠に対する効果が全く発揮できないという問題がある。
【０００８】
かかる問題に鑑み、本発明は、通常時の施錠、開錠操作の操作性を維持しつつ、いわゆるサムターン回しに対処可能な防犯特性の高いサムターンの提供を目的とする。
【課題を解決するための手段】
【０００９】
上記した目的を達成すべく提供される請求項１に記載の発明は、扉に取り付けられる固定部材と、前記固定部材と相対回転が可能であって外部に露出した回転部材とを有し、回転部材を回転させて施錠・解錠を行うことができ、また、所定の鍵を用いても施錠・解錠を行うことができるサムターンユニットにおいて、前記回転部材には回転制御機構を有し、前記回転制御機構には、揺動可能なロックアームと、外部に露出し、押動操作によってロックアームを揺動させることができるボタンと、所定の鍵を用いることにより回転を行うことが可能なスピンドルとが設けられ、前記ロックアームには、回転部材と固定部材との間の相対回転を阻止する回転阻止部が設けられており、ボタンの押動操作、及び、スピンドルの回転操作のいずれかが行われた場合には、ロックアームが揺動し、前記相対回転の阻止を解除することができることを特徴とするサムターンユニットである。
【００１０】
請求項１に記載の発明によれば、揺動可能なロックアームと、外部に露出し、押動操作によってロックアームを揺動させることができるボタンと、所定の鍵を用いることにより回転を行うことが可能なスピンドルとが設けられた回転制御機構を有しており、前記ロックアームには、回転部材と固定部材との間の相対回転を阻止する回転阻止部が設けられており、ボタンの押動操作、及び、スピンドルの回転操作のいずれかが行われた場合には、ロックアームが揺動し、前記相対回転の阻止を解除することができるものであるので、ロックアームの揺動によって、回転部材と固定部材との間の相対回転を阻止、及び、この阻止の解除を確実に行うことができる。
【００１１】
請求項２に記載の発明は、ロックアームの回転阻止部は突起状であり、回転阻止部が固定部材のスリットに挿入して回転阻止が行われ、回転阻止部が内側に移動することによりスリットから脱出して回転阻止が解除されるものであることを特徴とする請求項１に記載のサムターンユニットである。
【００１２】
請求項２に記載の発明によれば、ロックアームの回転阻止部は突起状であり、回転阻止部が固定部材のスリットに挿入して回転阻止が行われ、回転阻止部が内側に移動することによりスリットから脱出して回転阻止が解除されるものであるので、回転部材と固定部材との間の相対回転を阻止、及び、この阻止の解除をより確実に行うことができる。
【００１３】
請求項３に記載の発明は、回転部材には軸部が設けられ、前記軸部は軸方向に貫通している内部空間が設けられた部材であり、ロックアームは前記内部空間に配置されて、軸部に対して揺動可能となっていることを特徴とする請求項１又は２に記載のサムターンユニットである。
【００１４】
請求項３に記載の発明によれば、ロックアームは、回転部材の軸部の内部空間に配置されており、前記軸部に対して揺動可能となっているものであるので、ロックアームを配置を行いやすい。
【００１５】
請求項４に記載の発明は、ロックアームは２個設けられて、各ロックアームの揺動方向は、スピンドルの回転軸に対して近接・離反する方向であり、スピンドルはロックアーム同士の間に配置しており、スピンドルの回転によって、ロックアーム同士が離れるように揺動させるものであることを特徴とする請求項１〜３のいずれかに記載のサムターンユニットである。
【００１６】
請求項４に記載の発明によれば、ロックアームは２個設けられて、ロックアームの揺動方向は、スピンドルの回転軸に対して近接・離反する方向であり、スピンドルはロックアーム同士の間に配置しており、スピンドルの回転によって、ロックアーム同士が離れるように揺動させるものであるので、スピンドルの回転による回転阻止の解除の構造を複雑にすることがない。
【００１７】
請求項５に記載の発明は、スピンドルには凸部を有しており、前記凸部をロックアームの端部同士の間に配置して、スピンドルの相対回転によりロックアームの端部の間を押し広げ、ロックアームを揺動させることを特徴とする請求項４に記載のサムターンユニットである。
【００１８】
請求項５に記載の発明によれば、スピンドルには凸部を有しており、前記凸部をロックアームの端部同士の間に配置して、スピンドルの相対回転によりロックアームの端部の間を押し広げ、ロックアームを揺動させるものであるので、より簡単な構造で回転阻止の解除を行うことができる。
【００１９】
請求項６に記載の発明は、スピンドルの凸部はマイナス型であることを特徴とする請求項５に記載のサムターンユニットである。
【００２０】
請求項６に記載の発明によれば、スピンドルの凸部はマイナス型であるので、相対回転によるロックアームの揺動を大きくすることができる。
【発明の効果】
【００２１】
本発明のサムターンによれば、不正解錠を確実に防止することができる。
【発明を実施するための最良の形態】
【００２２】
以下さらに本発明の具体的実施例について説明する。図１は、本発明の第１の実施形態のサムターンユニットを示した斜視図である。図２は、図１のサムターンユニットの分解斜視図である。図３は、回転部材の分解斜視図である。図４は、回転部材の本体部の斜視図であり、（ａ）は手前側から見た図であり、（ｂ）は扉側から見た図である。図５は、回転部材の軸部及びスピンドルを示した斜視図である。図６は、軸部の断面図である。図７は、スピンドルの正面図である。図８は、ボタン、ロックアーム及びスピンドルの動きを示した模式図であり、（ａ）は、ボタンを押さない状態を示した図、（ｂ）はボタンを押した状態を示した図である。図９は、蓋部を示した斜視図である。図１０は、蓋部を示したＢ−Ｂ断面での断面図である。図１１は、固定部材を示したＥ−Ｅ断面での断面図である。図１２は、カバーを示した一部断面斜視図である。図１３は、ボタンを示した斜視図であり、（ａ）は隣り合う一対のボタンを押さない状態を示す図、（ｂ）は隣り合う一対のボタンの一方のみを押した状態を示す図である。図１４〜図１７は、隣り合う一対のボタンの断面図であり、（ａ）はＣ−Ｃ断面を示す図、（ｂ）はＤ−Ｄ断面を示す図である。図１８は、回転部材の変形例を示す斜視図である。
【００２３】
本発明の第１の実施形態におけるサムターンユニット１は、図１に示されており、シリンダー９１と共に扉９０に取り付けられて使用される。そして、サムターンユニット１の回転部材１０を回転させて、図示しないロックボルトを進退させることができる。なお、通常の場合と同様に、鍵９２により、シリンダー９１の機構部分を回転させることにより、図示しないロックボルトを進退させることもできる。
【００２４】
サムターンユニット１は、図２に示されるように、回転部材１０、固定部材１１、ばね１２、カラー１３が設けられている。そして、固定部材１１には、ネジ穴１９が設けられており、ネジ穴１９に図示しないネジを螺合することにより扉９０側に連結することができる。
【００２５】
回転部材１０は、図３に示されるように、キャップ２０、蓋部２１、本体部２２、回転制御機構２３、軸部２４、スピンドル２５を有している。
【００２６】
本体部２２は、図１に示されるように、使用状態で外部に露出する部分であり、使用者が回転させることができる部分である。また、図４（ａ）、（ｂ）に示されるように、本体部２２は円筒状の部材であり、内部空間２８を有し、両側に開口３１、３２が設けられている。そして、一方の開口３１側（図４（ａ）における左側、図４（ｂ）における右側）には、４ヵ所の切り欠き部２７と４ヵ所の突起部３３が設けられている。
【００２７】
切り欠き部２７は、開口３１から円筒の軸方向に延びるように形成されており、切り欠き部２７によって、内部空間２８と外部との間を貫通する。また、図４（ａ）に示されるように、切り欠き部２７は２ヵ所ずつが接近して、一対の切り欠き部２７を形成し、この一対の切り欠き部２７同士が１８０°回転対称となるような位置に設けられている。そして、この切り欠き部２７に、後述するボタン４０、４１が配置されている。
突起部３３は内部空間２８側に突出する突起である。そして、この突起部３３は内部空間２８内に配置される軸部２４の凹部４２に嵌るものである。
【００２８】
一方の開口３１側（図４（ａ）における左側）の端面には、軸方向にのびる角孔４５と丸孔４７が２ヵ所ずつ設けられている。
【００２９】
また、他方の開口３２側（図４（ａ）における右側）の端面には、周状に延びる４ヵ所の溝部３０が設けられている。各溝部３０は、周方向の中央付近の谷部３０ａが深く、周方向の端部が端面とほぼ等しい高さであり、場所によって深さが異なっている。そして、谷部３０ａに向かって傾斜してＶ字状となっている。そして、後述するように、固定部材１１と、本体部２２とが相対回転し、固定部材１１の節度ピン挿入孔７２内に配置された節度ピン４６が溝部３０を相対移動する場合に、ほぼ段差無く移動させることができる。また、溝部３０の谷部３０ａでは節度ピン４６が１番突出した状態となる。
【００３０】
軸部２４は、図５、図６に示されており、軸方向に貫通している内部空間３７が設けられた円筒状の部材である。そして、後述するように、軸部２４は本体部２２と連結されて一体化する。また、軸部２４には、大径部３５、小径部３６が設けられており、大径部３５の外径は小径部３６より大きい。
大径部３５は軸方向に垂直な方向の両側が開放しており、大径部３５の内側には、平面状の内側面３５ａが設けられている。内側面３５ａは２カ所設けられ、互いに平行な位置関係である。また、大径部３５の内側には、回転制御機構２３のボタン４０、４１が配置され、ボタン４０、４１は内側面３５ａによって、ガイドされる。
【００３１】
内側面３５ａには、軸方向に延びる凹部３５ｂが設けられている。凹部３５ｂは、それぞれの内側面３５ａに２カ所設けられ、合計４カ所設けられている。そして、ボタン４０、４１の貫通孔４０ａ、４１ａに挿入されるピン４０ｂ、４１ｂの先端が、凹部３５ｂに進入して、ボタン４０、４１の押動操作を阻止することができる。
また、軸部２４の大径部３５の端部には、ネジ穴３８が設けられている。また、ネジ穴３８付近には凹部４２が配置している。
【００３２】
小径部３６は筒状であり、胴部には周状溝４８が設けられている。また、小径部３６の内側の内部空間３７は、断面形状が円形のスピンドル挿入部３７ａと、断面形状が長方形状のロックアーム挿入部３７ｂが設けられている。
そして、スピンドル挿入部３７ａにスピンドル２５を挿入し、スピンドル挿入部３７ａを貫通する貫通孔３６ａにピン４９を挿入して、スピンドル２５を揺動可能に固定することができる。また、貫通孔３６ａは周方向に長い長孔状であるので、スピンドル２５と軸部２４との間で、少しだけ相対回転が可能である。
【００３３】
ロックアーム挿入部３７ｂにロックアーム４３を挿入し、ロックアーム挿入部３７ｂを貫通する貫通孔３６ｂにピン５２を挿入して、ロックアーム４３を揺動可能に固定することができる。
また、貫通孔３６ａ付近の位置には、貫通孔５０が設けられている。貫通孔５０は、貫通孔３６ａ及び軸方向にほぼ垂直に貫通する角状の孔である。
【００３４】
スピンドル２５は、軸方向の両端に、マイナス型凸部２５ａとプラス型凹部２５ｂが設けられたものであり、さらに、上記したピン４９が挿入される貫通孔２５ｃを有している。マイナス型凸部２５ａは、直線状に突出する部分である。そして、スピンドル２５を軸部２４に固定すると、軸部２４の回転力はスピンドル２５に伝達される。
また、マイナス型凸部２５ａは、２本のロックアーム４３の端部７５に挟まれている。そのため、スピンドル２５と軸部２４との間で相対回転すると、２本のロックアーム４３の端部７５同士が離れるように揺動し、回転阻止部５１が軸心側に移動する。
【００３５】
プラス型凹部２５ｂは、図７に示されるように、十文字状に凹部が形成された部分である。プラス型凹部２５ｂは所定の部材に係合することができ、この係合がされている状態で、スピンドル２５を回転させることにより、図示しないロックボルトが進入・退出して施錠・解錠を行うことができる。
また、上記した鍵９２を操作することによっても、図示しないロックボルトが進入・退出して施錠・解錠を行うことができるが、鍵９２による施錠・解錠の操作を行った場合には、この所定の部材を介してスピンドル２５を回転させることができる。そして、スピンドル２５を回転させることにより、軸部２４とスピンドル２５との間で相対回転して、２本のロックアーム４３の端部７５同士が離れるように揺動して回転阻止部５１が軸心側に移動し、回転部材１０の回転が阻止が解除されて回転部材１０が回転する。
【００３６】
回転制御機構２３には、図３に示すように、第１のボタン４０、第２のボタン４１、ロックアーム４３、ピン４０ｂ、４１ｂ、ばね５３、５４が設けられている。
第１のボタン４０は、幅狭部５８と幅狭部５８よりも幅の広い幅広部５９が設けられ、その境界には段部５７を有している。そして、幅広部５９には、断面円形の貫通孔４０ａと、円形の凹部４０ｃが設けられている。また、本体部２２の中心軸側には貫通孔５６が設けれており、後述するばね５３が挿入される。
【００３７】
第２のボタン４１は、第１のボタン４０と同じ形状に突起５５を設けたものである。そして、第２のボタン４１には、幅狭部５８と幅広部５９とを有し、幅広部５９には断面円形の貫通孔４１ａと、円形の凹部４１ｃが設けられている。また、突起５５の突出方向は、貫通孔４１ａの貫通方向に対して垂直な方向である。
突起５５は、ロックアーム４３側に突出するように配置されるものであり、第２のボタン４１が内側に移動すると、ロックアーム４３を揺動させることができる。突起５５は第２のボタン４１にのみ設けられており、第１のボタン４０には設けられていない。
【００３８】
第１のボタン４０及び第２のボタン４１は切り欠き部２７に配置されており、幅狭部５８が外側、幅広部５９が内側となっている。そして、後述するように、第１のボタン４０及び第２のボタン４１は、外側に向かって付勢されているが、段部５７が切り欠き部２７の間の棒状部２７ｂに引っ掛かるので、第１のボタン４０や第２のボタン４１は外れることはない。また、第１のボタン４０及び第２のボタン４１は別の部材であるので、一方のボタン４０、４１のみを押した場合には、他方のボタン４１、４０は移動しない。
【００３９】
また、第１のボタン４０及び第２のボタン４１は隣り合う状態で、回転部材１０の軸部２４に設けられた２つの内側面３５ａの間に配置されている。そして、ボタン４０、４１は内側面３５ａに沿って移動する。そのため、ボタン４０、４１の押動方向は、外側から内側に向かう方向である。
【００４０】
そして、隣り合う一対のボタン４０、４１は、押動操作しない状態では、図１３や図１４に示されるように、第１のボタン４０の貫通孔４０ａが、第２のボタン４１の凹部４１ｃと、凹部３５ｂとの間に位置し、また、第２のボタン４１の貫通孔４１ａが、第１のボタン４０の凹部４０ｃと、凹部３５ｂとの間に位置している。
【００４１】
ピン４０ｂ、４１ｂは丸棒状であって同じ形状である。そして、ピン４０ｂ、４１ｂの長さはボタン４０、４１の幅、すなわち、貫通孔４０ａ、４１ａの長さよりも長いものである。そのため、ピン４０ｂ、４１ｂは、貫通孔４０ａ、４１ａのいずれかからはみ出しており、他方のボタン４１、４０の凹部４１ｃ、４０ｃや内側面３５ａの凹部３５ｂに入った状態となっている。
【００４２】
ロックアーム４３は棒状の部材であり、突起状の回転阻止部５１と貫通孔７６が設けられている。そして、上記したように、軸部２４のピン５２を軸として揺動することができ、この揺動によって突起状の回転阻止部５１が移動する方向は、回転阻止部５１の突出方向である。このため、ロックアーム４３の揺動によって、回転阻止部５１の位置を変えることが可能である。
貫通孔７６の位置は、端部７５側に近い位置であり、回転阻止部５１から遠い位置である。
【００４３】
上記したボタン４０、４１、ロックアーム４３はそれぞれ２個ずつ設けられている。そして、本体部２２の一対の切り欠き部２７に、ボタン４０、４１とが隣り合う状態で配置され、全ての切り欠き部２７に、第１のボタン４０又は第２のボタン４１が配置される。また、２個の第２のボタン４１の突起５５の内側にロックアーム４３が配置しており、突起５５が内側に移動することによって、対応するロックアーム４３が揺動する。
隣り合う一対のボタン４０、４１は２組設けられるが、各組のボタン４０、４１の配置は、回転部材１０の中心に対して１８０°回転対称となるような配置であり、各組のボタン４０、４１の押動方向は、互いに反対方向であって、他の一対のボタン４０、４１に向いている。
【００４４】
図８は、ボタン４０、４１と、ロックアーム４３、固定部材１１の一部の位置関係を示したものである。
通常は、回転阻止部５１が固定部材１１のスリット７０に配置され、回転部材１０と固定部材１１との相対回転を阻止している。そして、隣り合う一対のボタン４０、４１を押して、第２のボタン４１の突起５５が内側に移動すると、貫通孔７６を軸心として回転して、ロックアーム４３の回転阻止部５１がスリット７０から脱出して内側に移動する。回転阻止部５１が内側に移動すると、スリット７０の内側へ移動し、回転部材１０と固定部材１１との相対回転を可能とすることができる。
【００４５】
ばね５３は、ボタン４０、４１を外側に向かって付勢するものである。そして、具体的には、中心軸に垂直な方向に互いに対向する位置に設けられたボタン４０、４１（隣に配置されていないもの）同士の間にばね５３が配置されている。また、ばね５４は、２個のロックアーム４３の間に設けられており、それぞれのロックアーム４３を外側に向かって付勢する。
したがって、通常の状態では、ボタン４０、４１及びロックアーム４３は外側に移動している。
【００４６】
蓋部２１は、本体部２２の突起部３３側に配置されるものであり、凹部２１ａを有する円盤状である。そして、円錐凹状部分を有する２ヵ所の貫通孔２１ｂと、２ヵ所の角孔２１ｃを有しており、貫通孔２１ｂは軸部２４のネジ穴３８に対応する位置に設けられ、角孔２１ｃは、本体部２２の角孔４５に対応する位置に設けられている。
【００４７】
また、図９、図１０に示されるように、蓋部２１の裏側（本体部２２側）には、突起６０、６１及び凹部６３が２ヵ所ずつ設けられている。突起６０は角状であり、角孔２１ｃの外側に設けられており、突起６１は、円状であり、本体部２２の丸孔４７に対応する位置に設けられている。凹部６３は一対の切り欠き部２７の間の棒状部２７ｂの先端２７ａに対応する位置に設けられている。
そして、蓋部２１が装着されると、突起６０が本体部２２の角孔４５に挿入され、突起６１が丸孔４７に挿入され、凹部６３が、本体部２２の一対の切り欠き部の間の棒状部２７ｂの先端２７ａが挿入される。
さらに、キャップ２０が蓋部２１の凹部２１ａに配置される。キャップ２０には、係合部２０ａが設けられ、係合部２０ａが２ヵ所の角孔２１ｃに挿入されて蓋部２１に固定される。
【００４８】
蓋部２１の貫通孔２１ｂにはネジ６２が挿通される。このネジ６２は、本体部２２の丸孔４７を通って軸部２４のネジ穴３８と螺合することができる。そして、本体部２２の突起部３３は、軸部２４の凹部４２に嵌って、蓋部２１と軸部２４との間に挟まるので、ネジ６２によって固定されると、蓋部２１、本体部２２、軸部２４は一体化し、本体部２２の回転が軸部２４に伝達される。
なお、回転制御機構２３のボタン４０、４１やロックアーム４３についても、軸部２４に連結されて、軸部２４と共に回転するので、本体部２２の回転と連動する。
【００４９】
固定部材１１は、図２、図１１に示されるように、小径部６５、大径部６７、偏心部６８を有している。
小径部６５は、円筒形状であり、軸方向に延びる４ヵ所のスリット７０が設けられている。そして、スリット７０の幅は、回転制御機構２３のロックアーム４３の回転阻止部５１の幅よりも大きく、回転阻止部５１がスリット７０に移動することができる。そして、回転阻止部５１がスリット７０に配置されている状態では、本体部２２の回転が阻止され、回転阻止部５１がスリット７０から内側に移動して、スリット７０に配置されていない状態となると本体部２２の回転が可能となる。スリット７０は９０°ごとに設けられている。
通常、ロックアーム４３は外側に付勢されて、回転阻止部５１がスリット７０に配置されているので、固定部材１１とロックアーム４３との間では相対回転不可である。
【００５０】
また、小径部６５の外径は、本体部２２の内径とほぼ同じかやや小さく、また、小径部６５の内径は、軸部２４の小径部３６と同じかやや大きい。そのため、小径部６５を本体部２２の内部空間２８の内側であって、軸部２４の外側に挿入することができる。
小径部６５には、径方向に貫通する貫通孔７１が設けられている。この貫通孔７１の位置は、軸部２４の周状溝４８の位置に対応している。そして、ピン７１ａを貫通孔７１に挿入して、ピン７１ａを周状溝４８に入れることにより、軸部２４と固定部材１１との間で、回転を可能にしながら、軸部２４や本体部２２が外れることを阻止することができる。
【００５１】
大径部６７には、フランジ部６６が設けられ、さらに節度ピン挿入穴７２が設けられている。
フランジ部６６は、コイル状のばね１２の付勢力を受ける部分であり、ばね１２は大径部６７の外側に配置して、固定部材１１は手前側（扉９０側とは反対側）に付勢される。
【００５２】
節度ピン挿入穴７２は、本体部２２側が開口して有底の丸穴であり、９０°おきに４ヵ所設けられている。そして、各節度ピン挿入穴７２には、節度ピン４６とばね７５が挿入されており、節度ピン４６は本体部２２側に向かって付勢されている。
ロックアーム４３の回転阻止部５１の回転位置がフランジ部６６の位置となっている場合には、節度ピン４６の回転位置が、図４（ｂ）で示される溝部３０の谷部３０ａの位置に合う状態である。
【００５３】
偏心部６８は外形が円形であるが、偏心部６８の中心軸は、小径部６５や大径部６７の中心軸に対してずれている。なお、固定部材１１には、軸部２４が挿入される部分である断面が円形状の内部空間７７が設けられているが、この内部空間７７の中心軸は小径部６５や大径部６７の中心軸と同じである。
また、固定部材１１を扉９０側に固定する際に用いられるネジ穴１９は、偏心部６８に設けられている。偏心部６８の形状は、扉９０の取付部分の形状に合わせられる。
【００５４】
カラー１３は、図２、図１２に示されるように、略円柱状の内部空間８０が設けられた部材である。また、この内径はばね１２の外径よりも大きく、ばね１２を挿入することができる。また、内部空間８０には、内側に突出する周状の突起８１が設けられ、固定部材１１のフランジ部６６と突起８１の間でばね１２を圧縮することができる。
【００５５】
次に、サムターンユニット１の使用方法について説明する。
上記したように、スピンドル２５のプラス型凹部２５ｂを回転させることにより、図示しないロックボルトを進退させて、施錠・解錠をすることができるが、全てのボタン４０、４１を押していない状態では、ロックアーム４３の回転阻止部５１がスリット７０に配置されているので、固定部材１１とロックアーム４３との間では相対回転不可となる。そして、図１に示すように外部に露出する回転部材１０に回転力を与えてもスピンドル２５は回転させることができず、施錠・解錠操作ができない。
【００５６】
そして、回転部材１０を回転させるためには、２個のロックアーム４３の回転阻止部５１を内側に移動させることが必要である。２個のロックアーム４３の回転阻止部５１を内側に移動させるには、２組の隣り合う一対のボタン４０、４１を同じように押すようにして、全てのボタン４０、４１を押した状態としなければならない。
すなわち、図１３（ａ）に示されるように、ボタン４０、４１に挿入されているピン４０ｂ、４１ｂは貫通孔４０ａ、４１ａからはみ出している。そのため、図１４に示されるように、通常の状態では、第２のボタン４１、第１のボタン４０の凹部４１ｃ、４０ｃ、又は、軸部２４の凹部３５ｂに進入した状態となっている。
【００５７】
そして、この隣り合うボタン４０、４１の一方のみを移動させた場合、貫通孔４０ａ、４１ａの位置は、ボタン４１、４０の凹部４１ｃ、４０ｃの位置とずれるので、図１３（ｂ）に示されるように、外側に突出しようとする。しかし、移動したボタン４０、４１の貫通孔４０ａ、４１ａの位置は、軸部２４の凹部３５ｂの位置とずれることとなり、外側への突出を許さない。そのため、ボタン４０、４１の下方への移動を不可能にする。
【００５８】
例えば、図１６に示されるように、第１のボタン４０のみを押すと、第２のボタン４１のピン４１ｂは、第１のボタン４０によって軸部２４の凹部３５ｂ方へと移動し、第２のボタン４１は下方へ移動できなくなる（図１６（ａ））。また、第１のボタン４０のピン４０ｂは、軸部２４の凹部３５ｂ及び第２のボタン４１の凹部４１ｃに引っ掛かって（図１６（ｂ））、第１のボタン４０のみを押すことができない。
【００５９】
図１７に示されるように、第２のボタン４１のみを押すと、第１のボタン４０のピン４０ｂは、第２のボタン４１によって軸部２４の凹部３５ｂ方へと移動し、第１のボタン４０は下方へ移動できなくなる（図１７（ａ））。また、第２のボタン４１のピン４１ｂは、軸部２４の凹部３５ｂ及び第１のボタン４０の凹部４０ｃに引っ掛かって（図１７（ｂ））、第２のボタン４０のみを押すことができない。
そして、いずれの場合にも、第２のボタン４１は移動できないため、突起５５の移動によって、ロックアーム４３の回転阻止部５１を内側に移動させることができない。
【００６０】
しかしながら、隣り合う一対のボタン４０、４１を同時に押した場合、図１５に示されるように、ボタン４０、４１の貫通孔４０ａ、４１ａに挿通されたピン４０ｂ、４１ｂは、ボタン４１、４０の凹部４１ｃ、４０ｃの位置が合った状態で移動する。そのため、上記した場合と異なり、ピン４０ｂ、４１ｂの位置が軸部２４の凹部３５ｂの位置と異なる位置であっても、ボタン４０、４１の位置を変更することができる。そして、隣り合うボタン４０、４１を同時に押すことにより、突起５５によってロックアーム４３が揺動し、回転阻止部５１が内側に移動する。
【００６１】
そして、２組の隣り合う一対のボタン４０、４１を押した状態、すなわち、全てのボタン４０、４１を押すと、固定部材１１のスリット７０に配置されていた２個のロックアーム４３の回転阻止部５１が内側に移動して、本体部２２と固定部材１１との間の相対回転が可能となる。
全てのボタン４０、４１を押した状態で、本体部２２を回転させることにより、軸部２４の先に設けられたスピンドル２５が回転して、施錠又は解錠することができる。
【００６２】
また、節度ピン４６が設けられており、節度ピン４６の回転位置が、図４（ｂ）で示される溝部３０の谷部３０ａの位置に合う状態となる回転方向に移動方向に向かうように回転力が発生する。そのため、本体部２２を回転させると、節度ピン４６のあった溝部３０から次の溝部３０へと相対回転し、さらに、節度ピン４６が図４（ｂ）に示される谷部３０ａに向かって自動的に回転する。また、回転し始めで、回転を中止した場合、節度ピン４６が最初にあった谷部３０ａへと戻る。
【００６３】
このように、本発明のサムターンユニット１では、全てのボタン４０、４１を押しながら本体部２２を回転させなければ、施錠又は解錠することができない。したがって、扉９０に貫通孔を開けて、その貫通孔に棒などを挿入し、その棒で本体部２２を回転させて不正解錠を行うことが困難となる。
隣り合うボタン４０、４１を同時に押さなければ、ボタン４０、４１を押すことができず、両側に設けられた４つのボタン４０、４１の全てを押しながら回転させることは、上記貫通孔に挿入した棒によっては困難である。また、仮に、４つのボタン４０、４１の全てを押せたとしても、この押した状態で節度ピン４６の相対位置が次の溝部３０まで回転させなければ、本体部２２の位置が元の状態に戻るため、上記した不正解錠の方法で、本発明のサムターンユニット１を解錠することは困難である。
【００６４】
また、外側から鍵９２を用いて施錠・解錠する場合には、上記したように、ボタン４０、４１を押すことなく回転部材１０を回転させることができる。すなわち、鍵９２の操作によりスピンドル２５を回転させると、回転し始めは軸部２４とスピンドル２５との間で相対回転するので、２本のロックアーム４３の端部７５同士が離れるように揺動して回転阻止部５１が軸心側に移動し、回転部材１０が回転可能となる。さらに、スピンドル２５を回転させることにより回転部材１０が回転する。
【００６５】
なお、上記したサムターンユニット１の節度ピン４６の付勢方向は軸方向であったが、径方向（中心軸に対して垂直な方向）に設けることができる。例えば、図１８に示されるような、回転部材１０’のように、外周方向に溝部８４を設けて、節度ピン４６を外側から内側に向かうように付勢することもできる。
【００６６】
次に、本発明の第２の実施形態のサムターンユニット２について説明する。
図１９は、本発明の第２の実施形態のサムターンユニットを示した斜視図である。図２０は、図１９のサムターンユニットの分解斜視図である。図２１は、本発明の第２の実施形態の回転部材の分解斜視図である。図２２は、図２１に示す回転部材の本体部の斜視図であり、（ａ）は手前側から見た図であり、（ｂ）は扉側から見た図である。図２３は、図２１に示す回転部材の軸部及びスピンドルを示した分解斜視図である。図２４は、軸部の断面図である。図２５は、スピンドルの正面図である。図２６は、本発明の第２の実施形態のボタン、ロックアーム及びスピンドルの動きを示した模式図であり、（ａ）は、ボタンを押さない状態を示した図、（ｂ）はボタンを押した状態を示した図、（ｃ）は、スピンドルを回転させた状態を示した図である。図２７は、本発明の第２の実施形態のカラーを示した一部断面斜視図である。
【００６７】
本発明の第２の実施形態におけるサムターンユニット２は、図１９に示されており、シリンダー９１と共に扉９０に取り付けられて使用される。そして、サムターンユニット２の回転部材１１０を回転させて、図示しないロックボルトを進退させることができる。なお、通常の場合と同様に、鍵９２により、シリンダー９１の機構部分を回転させることにより、図示しないロックボルトを進退させることもできる。
【００６８】
サムターンユニット２は、図２０に示されるように、回転部材１１０、固定部材１１１、ばね１２、カラー１１３が設けられている。そして、固定部材１１１には、図示しないネジ穴が設けられており、当該ネジ穴に図示しないネジを螺合することにより扉９０側に連結することができる。
【００６９】
回転部材１１０は、図２１に示されるように、キャップ１２０、本体部１２２、回転制御機構１２３、軸部１２４、スピンドル１２５を有している。
【００７０】
本体部１２２は、図１９に示されるように、使用状態で外部に露出する部分であり、使用者が回転させることができる部分である。また、図２２（ａ）、（ｂ）に示されるように、本体部１２２には、摘み部７３とベース部７４が設けられている。
摘み部７３の外形は半円板状であり、ベース部７４の外形は円板状である。そして、本体部１２２は、摘み部７３の直線部分でベース部７４と接続するような形状であって、ベース部７４の接続部分は円板の中心を通過するものである。そして、摘み部７３の面とベース部７４の面とは垂直となるように接続されている。
【００７１】
また、本体部１２２には、内部空間１２８が設けられている。内部空間１２８には、摘み部７３に内部に形成される摘み部側空間１２８ａと、ベース部７４の内部に形成されるベース部側空間１２８ｂとを有している。そして、ベース部側空間１２８ｂには、円形の開口１３２が形成されている。
摘み部側空間１２８ａは、後述する軸部１２４の突出部１３５が挿入される空間であり、軸部１２４の突出部１３５を摘み部側空間１２８ａに挿入することにより、本体部１２２の回転を軸部１２４に伝えることができる。また、図２１に示されるように、本体部１２２には、貫通孔１４７が設けられ、ねじ６２が挿入される。
【００７２】
半円板状の摘み部７３には、摘み部側空間１２８ａに貫通する貫通孔１２６が２ヵ所設けられている。２ヵ所の貫通孔１２６の位置は互いに対向する位置であって、板面の表裏に設けられており、貫通孔１２６の貫通方向は回転部材１１０の回転軸に向かう方向である。
そして、貫通孔１２６には後述するボタン４４が挿入され、図１９に示されるように、貫通孔１２６に挿入されるとボタン４４の一部が露出して突出した状態となる。また、使用時に摘み部７３を挟むようにして摘むことにより、２ヵ所のボタン４４を内側に移動させることができる。
【００７３】
また、開口１３２（図２２（ａ）における右側、図２２（ｂ）における左側）の端面には、周状に延びる４ヵ所の溝部１３０が設けられている。各溝部１３０は、周方向の中央付近の谷部１３０ａが深く、周方向の端部が端面とほぼ等しい高さであり、場所によって深さが異なっている。そして、谷部１３０ａに向かって傾斜してＶ字状となっている。そして、後述するように、固定部材１１１と、本体部１２２とが相対回転し、固定部材１１１の節度ピン挿入孔１７２内に配置された節度ピン４６が溝部１３０を相対移動する場合に、ほぼ段差無く移動させることができる。また、溝部１３０の谷部１３０ａでは節度ピン４６が１番突出した状態となる。
【００７４】
軸部１２４は、図２３、図２４に示されており、軸方向に貫通している内部空間１３７が設けられた筒状の部材である。そして、後述するように、軸部１２４は本体部１２２と連結されて一体化する。また、軸部１２４には、突出部１３５、小径部１３６が設けられている。突出部１３５は、軸方向に対して２ヵ所が突出する形状であり、突出部１３５の外幅は小径部１３６の外径より大きい。また、突出部１３５は軸方向に垂直面の断面は突出部分の外幅が長い偏平状であり、この断面形状は本体部１２２の摘み部側空間１２８ａの形状に合わせられている。そして、突出部１３５が摘み部側空間１２８ａに挿入されて、本体部１２２と軸部１２４との間は回転力が伝達されて同じように回転する。
また、軸部１２４の突出部１３５には、ネジ穴１３８が設けられ、ねじ６２が装着される。
【００７５】
小径部１３６は外形の断面形状が円形の筒状であり、胴部には周状溝１４８とＣリング装着溝１８９が設けられている。また、小径部１３６の内側の内部空間１３７は、断面形状が円形のスピンドル挿入部１３７ａと、断面形状が長方形状のロックアーム挿入部１３７ｂが設けられている。
【００７６】
スピンドル挿入部１３７ａにはスピンドル１２５が挿入され、この状態でＣリング１４９をＣリング装着溝１８９に取り付けてスピンドル１２５が装着した状態で脱落を防止する。このとき、スピンドル１２５に設けられる２ヵ所の突起１２５ｄは、軸部１２４の切り欠き部６４に配置し、２ヵ所の突起１２５ｄの間の溝１２５ｅに、Ｃリング１４９を配置する。そのため、切り欠き部６４の分だけ、スピンドル１２５と軸部１２４との間で相対回転が可能である。
【００７７】
また、図２４のように、軸部１２４の内部空間１３７のロックアーム挿入部１３７ｂにロックアーム１４３を挿入し、ロックアーム挿入部１３７ｂを貫通する貫通孔１３６ｂにピン５２を挿入して、ロックアーム１４３を揺動可能に固定することができる。そして、軸部１２４にロックアーム１４３を装着すると、突起状の回転阻止部１５１が軸部１２４の小径部１３６から突出した状態となり、ロックアーム１４３のボタン側端部８６が軸部１２４の突出部１３５側に位置する。
図２１に示すように、ロックアーム１４３は２個設けられており、各ロックアーム１４３の揺動方向は、回転部材１１０やスピンドル１２５の回転軸に対して近接・離反する方向である。
【００７８】
また、軸部１２４には、貫通孔１５０が設けられている。貫通孔１５０は、貫通孔１３６ｂの軸方向にほぼ垂直に貫通する角状の孔である。
【００７９】
図２３、図２５に示されるように、スピンドル１２５は軸状の部材であり、軸方向の両端に、凸部であるマイナス型凸部１２５ａと凹部であるプラス型凹部１２５ｂが設けられた部材である。また、スピンドル１２５の胴部には上記した突起１２５ｄ及び溝１２５ｅをを有している。
マイナス型凸部１２５ａは、直線状に突出する部分であり、回転部材１１０の回転軸に垂直な断面の形状が長方形状である。そして、スピンドル１２５を軸部１２４に固定すると、マイナス型凸部１２５ａは２本のロックアーム１４３のスピンドル側端部７５に挟まれる。そのため、スピンドル１２５と軸部１２４との間で相対回転すると、２本のロックアーム１４３の端部７５同士が離れるように揺動し、回転阻止部１５１が軸心側に移動する。
【００８０】
なお、スピンドル１２５に設けられ、２本のロックアーム１４３のスピンドル側端部７５の間に配置される部分は、回転部材１１０の回転軸に垂直な断面の形状が偏平する形状であって、回転によって幅が変化する形状であればよく、マイナス型凸部１２５ａの形状以外でもよい。
【００８１】
プラス型凹部１２５ｂは、図２５に示されるように、十文字状に凹部が形成された部分である。プラス型凹部１２５ｂは所定の部材に係合することができ、この係合がされている状態で、スピンドル１２５を回転させることにより、図示しないロックボルトが進入・退出して施錠・解錠を行うことができる。
【００８２】
回転制御機構１２３には、図２１に示すように、ボタン４４、ロックアーム１４３、ばね５３、５４が設けられている。
ボタン４４は、露出部４４ａ及びロックアーム操作片１５５を有し、露出部４４ａの裏側には穴部１５６が形成されている。
【００８３】
本実施形態のボタン４４は２個設けられており、各ボタン４４は貫通孔１２６に配置されて、露出部４４ａの一部が外部に露出する状態となっている。また、２個のボタン４４の露出部４４ａの突出方向は外側であって互いに反対方向となっており、２個のボタン４４を挟み付けるように押しつけるように押動操作することにより、２個のボタン４４を同時に内側へ移動させることができる。このように、ボタン４４の押動方向は、外側から内側に向かう方向である。
また、穴部１５６には、後述するばね５３が挿入されて、２個のボタン４４を外側に付勢する。なお、ボタン４４はロックアーム操作片１５５が引っ掛かることにより、貫通孔１２６から外側に抜けて外れることはない。
【００８４】
ロックアーム操作片１５５は、ロックアーム１４３のボタン側端部８６の外側に配置されているものであり、ボタン４４の露出部４４ａを押して押動操作することにより、ロックアーム操作片１５５がロックアーム１４３のボタン側端部８６を内側に押して、ロックアーム１４３を揺動させることができる。具体的には、露出部４４ａが内側に移動すると、ロックアーム１４３の回転阻止部１５１が内側に移動する。
【００８５】
ロックアーム１４３は棒状の部材であり、突起状の回転阻止部１５１と貫通孔１７６が設けられている。そして、上記したように、ロックアーム１４３は軸部１２４のピン５２を軸（支点）として揺動することができ、この揺動によって回転阻止部１５１が移動するものである。そして、この揺動方向は、回転阻止部１５１の突出方向であり、ロックアーム１４３の揺動によって、回転阻止部１５１の位置を変えることが可能である。
ロックアーム１４３の揺動の支点となる貫通孔１７６の位置は、スピンドル１２５側の端部７５に近い位置であり、回転阻止部１５１から遠い位置である。そのため、ロックアーム１４３を同じように揺動させる場合であっても、ボタン側端部８６を内側に移動させる方が、スピンドル側端部７５を外側に移動させるよりも距離が大きくなる。そして、回転阻止の解除を行う場合の、ボタン４４の押動操作の距離を確保することができ、また、スピンドル１２５の相対回転を小さくすることができる。
【００８６】
上記したボタン４４、ロックアーム１４３はそれぞれ２個ずつ設けられている。そして、本体部１２２の２ヵ所の貫通孔１２６に、２個のボタン４４が対向するように配置される。また、２個のボタン４４のロックアーム操作片１５５の内側にそれぞれのロックアーム１４３が配置しており、ロックアーム操作片１５５が内側に移動することによって、対応するロックアーム１４３が揺動する。
ボタン４４は２個設けられるが、各ボタン４４の配置は、回転部材１１０の中心に対して１８０°回転対称となるような配置であり、各ボタン４４の押動方向は、互いに反対方向であって、他のボタン４４側に向いている。
【００８７】
図２６は、ボタン４４と、ロックアーム１４３、固定部材１１１の一部の位置関係を示したものである。
【００８８】
ばね５３は、ボタン４４を外側に向かって付勢するものであり、ばね５３はボタン４４同士の間に配置されている。そして、２個のボタン４４は、回転部材１１１の回転軸に垂直な方向に互いに対向する位置に設けられ、ボタン４４を外側に付勢する。また、ばね５４は、２個のロックアーム１４３の間に設けられており、それぞれのロックアーム１４３を外側に向かって付勢する。
したがって、通常の状態では、図２６（ａ）に示されるように、ボタン４４及びロックアーム１４３は外側に移動して位置している。
【００８９】
また、図２６（ａ）に示されるように、回転阻止部１５１が固定部材１１１のスリット１７０に配置され、ボタン４４を押動操作しない通常の状態では、回転部材１１０と固定部材１１１との相対回転を阻止している。そして、ボタン４４を押して、ボタン４４のロックアーム操作片１５５が内側に移動すると、貫通孔１７６を軸として回転して、ロックアーム１４３の回転阻止部１５１がスリット１７０から脱出して内側に移動する（図２６（ｂ））。回転阻止部１５１が内側に移動すると、スリット１７０の内側へ移動し、回転部材１１０と固定部材１１１との相対回転を可能とすることができる。
【００９０】
また、上記した鍵９２を操作することによっても、図示しないロックボルトが進入・退出して施錠・解錠を行うことができるが、サムターンユニット２の回転阻止部１５１によって、回転部材１１０の回転が阻止されているので、これを解除する必要がある。このため、鍵９２による施錠・解錠の操作を行った場合には、図２６（ｃ）に示されるように、スピンドル１２５が回転して、ロックアーム１４３との間で相対回転し、ロックアーム１４３のスピンドル側端部７５の間を押し広げ、ロックアーム１４３を揺動させる。そして、２本のロックアーム１４３のスピンドル側端部７５同士が離れるように揺動して回転阻止部１５１が軸心側に移動し、回転部材１１０の回転が阻止が解除されて回転部材１１０が回転する。
【００９１】
また、本体部１２２の貫通孔１４７にはネジ６２が挿通される。このネジ６２は、軸部１２４のネジ穴１３８と螺合することができる。そして、本体部１２２と軸部１２４とが固定される。
なお、回転制御機構１２３のボタン４４やロックアーム１４３についても、軸部１２４と共に回転するので、本体部１２２の回転と連動する。
【００９２】
さらに、キャップ１２０が本体部１２２の摘み部７３に装着されている。キャップ１２０は摘み部７３の縁に合わせた半円の円弧状の部材であり、キャップ１２０には係合部１２０ａが設けられている。そして、、係合部１２０ａが摘み部７３の表面側に設けられた凹部７３ａに挿入されて本体部１２２に固定される。
【００９３】
図２０に示されるように、固定部材１１１は、軸受部材１１５とハウジング部材１１６とからなる。そして、軸受部材１１５をハウジング部材１１６の挿入部１１６ａに挿入した状態で、ハウジング部材１１６の貫通孔１１６ａにねじ８３を挿入して、軸受部材１１５に設けられた図示しないねじ穴にねじ８３を螺合して、軸受部材１１５とハウジング部材１１６とが一体化される。
そして、図２０に示されるように、固定部材１１１には、小径部１６５、大径部１６７、偏心部１６８を有している。
【００９４】
小径部１６５は軸受部材１１５の一部であって円筒形状であり、軸方向に延びる４ヵ所のスリット１７０が設けられている。そして、スリット１７０の幅は、回転制御機構１２３のロックアーム１４３の回転阻止部１５１の幅よりも大きく、回転阻止部１５１がスリット１７０に移動することができる。そして、回転阻止部１５１がスリット１７０に配置されている状態では、本体部１２２の回転が阻止され、回転阻止部１５１がスリット１７０から内側に移動して、スリット１７０に配置されていない状態となると本体部１２２の回転が可能となる。スリット１７０は９０°ごとに設けられている。
通常、ロックアーム１４３は外側に付勢されて、回転阻止部１５１がスリット１７０に配置されているので、固定部材１１１とロックアーム１４３との間では相対回転不可である。
【００９５】
また、小径部１６５の外径は、本体部１２２の内部空間１２８と比べてほぼ同じかやや小さく、また、小径部１６５の内径は、軸部１２４の小径部１３６と同じかやや大きい。そのため、小径部１６５を、本体部１２２の内部空間１２８の内側であって、軸部１２４の外側に挿入することができる。
小径部１６５には、径方向に貫通する貫通孔１７１が設けられている。この貫通孔１７１の位置は、図２１、図２３に示される軸部１２４の周状溝１４８の位置に対応している。そして、ピン７１ａを貫通孔１７１に挿入して、ピン７１ａを周状溝１４８に入れることにより、軸部１２４と固定部材１１１との間で、回転を可能にしながら、軸部１２４や本体部１２２が外れることを阻止することができる。なお、サムターンユニット２が組み立てられると、ピン７１ａは、本体部１２２のベース部７４の内側に位置するので、ピン７１ａが外側に抜けて外れることがない。
【００９６】
大径部１６７には、フランジ部１６６、ねじ部１６６ａ及び節度ピン挿入穴１７２が設けられている。フランジ部１６６は軸受部材１１５の一部分であり、ねじ部１６６ａはハウジング部材１１６の一部分であり、節度ピン挿入穴１７２は軸受部材１１５に形成されている。
【００９７】
フランジ部１６６は、外形が円形であるフランジ状の部分である。また、節度ピン挿入穴１７２は、開口がフランジ部１６６に形成されるものであって、回転部材１１０側が開口し、回転部材１１０の回転軸方向に延びる有底の丸穴である。そして、節度ピン挿入穴１７２には、節度ピン４６とばね７５が挿入されており、節度ピン４６は本体部１２２側に向かって付勢されている。
ねじ部１６６ａは、大径部１６７の外周に形成される雄ねじ状の部分であり、カラー１１３のねじ部１１３ａと螺合される。
【００９８】
節度ピン挿入穴１７２及び節度ピン４６の回転位置と、回転部材１１０に設けられる溝部１３０の谷部１３０ａとの回転位置の位置関係は、次のような位置関係である。すなわち、ロックアーム１４３の回転阻止部１５１の回転位置がスリット１７０となる状態で、節度ピン４６の回転位置が、溝部１３０の谷部１３０ａの位置に合う状態である。
【００９９】
偏心部１６８は外形が円形であるが、偏心部１６８の中心は、小径部１６５や大径部１６７の中心軸に対してずれている。
また、偏心部１６８の形状は、扉９０の取付部分の形状に合わせられる。
【０１００】
カラー１１３は、図２７に示されるように、略円柱状の内部空間８０が設けられ、内側にねじ部１１３ａが形成されている。そして、固定部材１１１のねじ部１６６ａとカラー１１３のねじ部１１３ａが螺合して、内部空間８０に固定部材１１１が配置する。
【０１０１】
次に、サムターンユニット２の使用方法について説明する。
上記したように、サムターンユニット２のスピンドル１２５のプラス型凹部１２５ｂを回転させることにより、図示しないロックボルトを進退させて、施錠・解錠をすることができるが、２ヵ所のボタン４４を押していない状態では、ロックアーム１４３の回転阻止部１５１がスリット１７０に配置されているので、固定部材１１１とロックアーム１４３との間では相対回転不可である。そして、回転部材１１０に回転力を与えてもスピンドル１２５を回転させることができず、施錠・解錠操作ができない。
【０１０２】
そして、回転部材１１０を回転させるためには、２個のロックアーム１４３の回転阻止部１５１を内側に移動させることが必要である。２個のロックアーム１４３の回転阻止部１５１を内側に移動させるには、２個のボタン４４を同時に押した状態とする。
【０１０３】
すなわち、２個のボタン４４を同時に押すことにより、ロックアーム操作片１５５によって２個のロックアーム１４３が揺動し、２ヵ所の回転阻止部１５１が内側に移動する。
したがって、２個のボタン４４を押すと、固定部材１１１のスリット１７０に配置されていた２個のロックアーム１４３の回転阻止部１５１が内側に移動してスリット１７０から脱出して、本体部１２２と固定部材１１１との間の相対回転が可能となる。
したがって、２個のボタン４４を押した状態で、本体部１２２を回転させることにより、軸部１２４の先に設けられたスピンドル１２５が回転して、施錠又は解錠することができる。
【０１０４】
また、節度ピン４６が設けられており、節度ピン４６の回転位置が、図２２（ｂ）で示される溝部１３０の谷部１３０ａの位置に合う状態となる回転方向に移動方向に向かうように回転力が発生する。そのため、本体部１２２を少し回転させると、節度ピン４６のあった溝部１３０から次の溝部１３０へと相対回転し、さらに、節度ピン４６が図２２（ｂ）に示される谷部１３０ａに向かって自動的に回転する。また、回転し始めで、回転を中止した場合、節度ピン４６が最初にあった谷部１３０ａへと戻る。
【０１０５】
このように、本発明のサムターンユニット２では、２個のボタン４４を押しながら本体部１２２を回転させなければ、施錠又は解錠することができない。したがって、扉９０に貫通孔を開けて、その貫通孔に棒などを挿入し、その棒で本体部１２２を回転させて不正解錠を行うことが困難となる。
すなわち、２個のボタン４４を同時に押さなければ、回転部材１１０を回転させることができないので、上記貫通孔に挿入した棒によっては困難である。また、仮に、２個のボタン４４を押せたとしても、この押した状態で節度ピン４６の相対位置が次の溝部１３０まで回転させなければ、本体部１２２の位置が元の状態に戻るため、上記した不正解錠の方法で、本発明のサムターンユニット２を解錠することは困難である。
【０１０６】
また、外側から鍵９２を用いて施錠・解錠する場合には、上記したように、ボタン４４を押すことなく回転部材１１０を回転させることができる。すなわち、鍵９２の操作によりスピンドル１２５を回転させると、スピンドル１２５の回転し始めはロックアーム１４３が回転しないため、軸部１２４とスピンドル１２５との間で相対回転する。そして、スピンドル１２５のマイナス型凸部１２５ａが回転することにより、２本のロックアーム４３の端部７５同士が離れるように揺動して回転阻止部５１が軸心側（内側）に移動し、回転部材１１０が回転可能となる。さらに、スピンドル２５を回転させることにより回転部材１１０が回転する。
【図面の簡単な説明】
【０１０７】
【図１】本発明の第１の実施形態のサムターンユニットを示した斜視図である。
【図２】図１のサムターンユニットの分解斜視図である。
【図３】本発明の第１の実施形態の回転部材の分解斜視図である。
【図４】本発明の第１の実施形態の回転部材の本体部の斜視図であり、（ａ）は手前側から見た図であり、（ｂ）は扉側から見た図である。
【図５】本発明の第１の実施形態の回転部材の軸部及びスピンドルを示した斜視図である。
【図６】本発明の第１の実施形態の軸部の断面図である。
【図７】本発明の第１の実施形態のスピンドルの正面図である。
【図８】本発明の第１の実施形態のボタン、ロックアーム及びスピンドルの動きを示した模式図であり、（ａ）は、ボタンを押さない状態を示した図、（ｂ）はボタンを押した状態を示した図である。
【図９】本発明の第１の実施形態の蓋部を示した斜視図である。
【図１０】本発明の第１の実施形態の蓋部を示したＢ−Ｂ断面での断面図である。
【図１１】本発明の第１の実施形態の固定部材を示したＥ−Ｅ断面での断面図である。
【図１２】本発明の第１の実施形態のカラーを示した一部断面斜視図である。
【図１３】本発明の第１の実施形態のボタンを示した斜視図であり、（ａ）は隣り合う一対のボタンを押さない状態を示す図、（ｂ）は隣り合う一対のボタンの一方のみを押した状態を示す図である。
【図１４】隣り合う一対のボタンの断面図であり、（ａ）はＣ−Ｃ断面を示す図、（ｂ）はＤ−Ｄ断面を示す図である。
【図１５】隣り合う一対のボタンの断面図であり、（ａ）はＣ−Ｃ断面を示す図、（ｂ）はＤ−Ｄ断面を示す図である。
【図１６】隣り合う一対のボタンの断面図であり、（ａ）はＣ−Ｃ断面を示す図、（ｂ）はＤ−Ｄ断面を示す図である。
【図１７】隣り合う一対のボタンの断面図であり、（ａ）はＣ−Ｃ断面を示す図、（ｂ）はＤ−Ｄ断面を示す図である。
【図１８】回転部材の変形例を示す斜視図である。
【図１９】本発明の第２の実施形態のサムターンユニットを示した斜視図である。
【図２０】図１９のサムターンユニットの分解斜視図である。
【図２１】本発明の第２の実施形態の回転部材の分解斜視図である。
【図２２】図２１に示す回転部材の本体部の斜視図であり、（ａ）は手前側から見た図であり、（ｂ）は扉側から見た図である。
【図２３】図２１に示す回転部材の軸部及びスピンドルを示した分解斜視図である。
【図２４】軸部の断面図である。
【図２５】スピンドルの正面図である。
【図２６】本発明の第２の実施形態のボタン、ロックアーム及びスピンドルの動きを示した模式図であり、（ａ）は、ボタンを押さない状態を示した図、（ｂ）はボタンを押した状態を示した図、（ｃ）は、スピンドルを回転させた状態を示した図である。
【図２７】本発明の第２の実施形態のカラーを示した一部断面斜視図である。
【符号の説明】
【０１０８】
１、２  サムターンユニット
１０、１０’、１１０  回転部材
１１、１１１  固定部材
２２、１２２  本体部
２３、１２３  回転制御機構
２４、１２４  軸部
２５、１２５  スピンドル
２５ａ、１２５ａ  マイナス型凸部
３７、１３７  内部空間
４０、４１、４４  ボタン
４３、１４３  ロックアーム
５１、１５１  回転阻止部
５３  ばね
７０、１７０  スリット
７５  端部
９０  扉
９２  鍵
【図１】
2006194068.tif 000003
【図２】
2006194068.tif 000004
【図３】
2006194068.tif 000005
【図４】
2006194068.tif 000006
【図５】
2006194068.tif 000007
【図６】
2006194068.tif 000008
【図７】
2006194068.tif 000009
【図８】
2006194068.tif 000010
【図９】
2006194068.tif 000011
【図１０】
2006194068.tif 000012
【図１１】
2006194068.tif 000013
【図１２】
2006194068.tif 000014
【図１３】
2006194068.tif 000015
【図１４】
2006194068.tif 000016
【図１５】
2006194068.tif 000017
【図１６】
2006194068.tif 000018
【図１７】
2006194068.tif 000019
【図１８】
2006194068.tif 000020
【図１９】
2006194068.tif 000021
【図２０】
2006194068.tif 000022
【図２１】
2006194068.tif 000023
【図２２】
2006194068.tif 000024
【図２３】
2006194068.tif 000025
【図２４】
2006194068.tif 000026
【図２５】
2006194068.tif 000027
【図２６】
2006194068.tif 000028
【図２７】
2006194068.tif 000029